(57)【要約】【課題】単純な工程にて高い生産性を維持しながら均一にかつ安定して所期の防縮性を確保することができる毛繊維の防縮加工方法を提供する。【解決手段】天然原料を基に作成され、蛋白組織の再生、編成、保全作用を有する蛋白組織補修物質と、浸透性界面活性を有する浸透促進物質とを含有する助剤を溶解したアルカリ性の浴中に毛繊維を浸漬して処理する。【選択図】なし【特許請求の範囲】
【請求項１】
天然原料を基に作成され、蛋白組織の再生、編成、保全作用を有する蛋白組織補修物質と、浸透性界面活性を有する浸透促進物質とを含有する助剤を溶解したアルカリ性又は酸性の浴中に、毛繊維を浸漬して処理することを特徴とすることを特徴とする毛繊維の防縮加工方法。
【請求項２】
蛋白組織補修物質として、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマ、ミクロコッカス、バチルス、コリネバクテリウム、ロイコノストック、メゼンテロイデス、火落菌からなる群から選ばれた１又は複数の物質を用いることを特徴とする請求項１記載の毛繊維の防縮加工方法。
【請求項３】
蛋白組織補修物質として、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマを第１群とし、ミクロコッカス、バチルス、コリネバクテリウム、ロイコノストック、メゼンテロイデス、火落菌を第２群とし、これら第１群と第２群からそれぞれ選択した１又は複数の物質を混合して用いることを特徴とする請求項２記載の毛繊維の防縮加工方法。
【請求項４】
浸透促進物質として、ベンチノール、ジメチコポリオール、塩化アルキル、メチルアンモニウム、マントールからなる群から選ばれた１又は複数の物質を、助剤の全重量の０．１〜１０重量％混合することを特徴とする請求項１記載の毛繊維の防縮加工方法。
【請求項５】
助剤に、天然原料を基に作成され、毛繊維のスケールを柔らかくしたり、傷を補修したりする柔軟化物質を混合することを特徴する請求項１〜４の何れか１つに記載の毛繊維の防縮加工方法。
【請求項６】
柔軟化物質として、サリチル酸ナトリウム、シャクヤクエキス、アミノ酪酸、アルテアエキス、カロチン、ヨクイニンエキス、オタネニンジンエキス、酵母エキス、リボフラビン、葉酸、ナイアシンアミドからなる群から選ばれた１又は複数の物質を用いることを特徴とする請求項５記載の毛繊維の防縮加工方法。
【請求項７】
助剤に、腐敗防止剤を混合することを特徴する請求項１〜６の何れか１つに記載の毛繊維の防縮加工方法。
【請求項８】
腐敗防止剤として、安息香酸ソーダ、ベンタジオール、エタノール、ヒノキチオールからなる群から選ばれた１又は複数の物質を用いることを特徴とする請求項７記載の毛繊維の防縮加工方法。
【請求項９】
助剤に、抗ピリング剤を混合することを特徴する請求項１〜８の何れか１つに記載の毛繊維の防縮加工方法。
【請求項１０】
抗ピリング剤として、カチオン系の第４級アンモニウム塩、キッチン、キトサン、シルクパウダーから選択された１又は複数の水溶性の物質と、グリセリン、コラーゲン、ヒアルロンサン、ビタミンＢ、ビタミンＥから選択された１又は複数の油成分の物質とを、エタノールでエマルジョン化した物質を用いることを特徴とする請求項９記載の毛繊維の防縮加工方法。
【請求項１１】
毛繊維又は毛繊維と他の繊維を混紡してなるワタ、糸、織物布、編み物布、またはそれらから成る二次製品を、任意の染料による染色工程前又は染色工程後に、ｐＨ８〜１０に調整し、毛繊維重量の３〜６重量％の助剤を投入し、７０〜９０℃に加温した浴中に３０〜６０分浸漬して処理することを特徴とする請求項１〜１０の何れかに記載の毛繊維の防縮加工方法。
【請求項１２】
天然原料を基に作成された、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマ、ミクロコッカス、バチルス、コリネバクテリウム、ロイコノストック、メゼンテロイデス、火落菌からなる群から選ばれた１又は複数からなる物質蛋白組織補修物質と、ベンチノール、ジメチコポリオール、塩化アルキル、メチルアンモニウム、マントールからなる群から選ばれた１又は複数の物質からなる浸透促進物質とを含むことを特徴とする毛繊維の防縮加工助剤。
【請求項１３】
天然原料を基に作成された、サリチル酸ナトリウム、シャクヤクエキス、アミノ酪酸、アルテアエキス、カロチン、ヨクイニンエキス、オタネニンジンエキス、酵母エキス、リボフラビン、葉酸、ナイアシンアミドからなる群から選ばれた１又は複数の物質からなる柔軟化物質を含むことを特徴とする請求項１２記載の毛繊維の防縮加工助剤。
【請求項１４】
安息香酸ソーダ、ベンタジオール、エタノール、ヒノキチオールからなる群から選ばれた１又は複数の物質からなる腐敗防止剤を含むことを特徴とする請求項１２又は１３記載の毛繊維の防縮加工助剤。
【請求項１５】
カチオン系の第４級アンモニウム塩、キッチン、キトサン、シルクパウダーから選択された１又は複数の水溶性の物質と、グリセリン、コラーゲン、ヒアルロンサン、ビタミンＢ、ビタミンＥから選択された１又は複数の油成分の物質とを、エタノールでエマルジョン化した物質からなる抗ピリング剤を含むことを特徴とする請求項１２〜１４の何れか１つに記載の毛繊維の防縮加工助剤。
【発明の詳細な説明】
【技術分野】
【０００１】
本発明は、羊毛などの毛繊維の防縮加工方法に関するものである。
【背景技術】
【０００２】
毛繊維は、絹などとともにタンパク繊維の一種で、羊毛を代表として、モヘヤ、カシミヤ、ラクダ、アルパカ、ビュキナ、アンゴラ兎毛などの毛を含んでいる。この毛繊維は、洗濯時などに水分等を含むと、繊維の外面を覆っているキューティクルとも呼ばれるスケール（外皮細胞）が繊維の膨潤差によって反り返った状態となり、その状態で外力を受けるとスケール同士が引っ掛かって繊維が絡み合い、繊維製品に縮みを生じるという課題があった。
【０００３】
このような毛繊維製品の縮みを防止するため従来から種々の防縮加工方法が提案されている。従来の防縮加工法は、大きく分けて「酸化法」と「付加法」と「併用法」の３つの方法がある。「酸化法」は、スケールを酸化又は塩素化によって除去又は削って丸めることで、絡み合いを抑制する方法であり、「付加法」は、スケールを薄い樹脂コーティング膜で覆う方法であり、「併用法」はこれらの両方の処理を行う方法である。最も多い防縮加工法は、毛繊維を塩素処理した後、アルカリで余分なスケールを除去し、その後樹脂コーティングを行っている。そして、こうして防縮加工を施した毛繊維に対して、その後に染色と洗いを行っている。
【０００４】
また、環境負荷を与えないように塩素や樹脂を用いずに、防縮性を与える方法として、酸化チタン粒子をスケールのエッジに選択的に付着させ、紫外線照射することによりスケールのエッジ部分のみを分解することで、スケール同士が引っ掛かるのを防止するようにしたものが知られている（例えば、特許文献１参照）。
【０００５】
その他にも、オゾン処理によりスケールを改質した後、糸にしてからアルカリ処理を施し、その後染色する方法も知られている。さらに、スケールを削るのではなく、繊維同士を点接着することで、繊維同士が絡み合うのを防止する方法なども知られている。
【特許文献１】特開２００１−１４０１６６号公報
【発明の開示】
【発明が解決しようとする課題】
【０００６】
ところで、現在最も多い塩素処理と樹脂コーティングを組み合わせた防縮加工法では、塩素や樹脂を用いるため環境負荷や廃水処理負荷が大きいという問題がある。また、その他の酸化チタンの付着と紫外線照射の組み合わせや、オゾン処理とアルカリ処理の組み合わせなどによって、スケールのエッジ部分を除去処理する方法では、複雑な工程を経るために高い生産性を確保するのが困難でかつ均一にかつ安定して所期の防縮性を確保することが困難であるという問題があり、さらに繊維同士の点接着による方法も同様の問題がある。また、従来の防縮加工法では、何れも染色前の処理に限定されるという問題もあった。
【０００７】
本発明は、上記従来の課題に鑑み、単純な工程にて高い生産性を維持しながら均一にかつ安定して所期の防縮性を確保することができる毛繊維の防縮加工方法を提供することを目的とする。
【課題を解決するための手段】
【０００８】
本発明の毛繊維の防縮加工方法は、天然原料を基に作成され、蛋白組織の再生、編成、保全作用を有する蛋白組織補修物質と、浸透性界面活性を有する浸透促進物質とを含有する助剤を溶解したアルカリ性又は酸性の浴中に毛繊維を浸漬して処理するものである。
【０００９】
この構成においては、従来は毛繊維のスケールの除去と固定によってスケール同士の引っ掛かりによる繊維の絡み合いを防止していたのに対して、皮膚や毛髪のダメージを修復する作用を有する成分として知られている蛋白組織補修物質を、アルカリ又は酸と浸透促進物質にて毛繊維のスケールの内側のコルテックス（皮質細胞）内に浸透させることで、防縮性を向上できることを見い出したことに基づいている。その理由は、理論的に詳細かつ正確には分からないが、毛繊維のコルテックスには元々種々の組織欠陥が存在しており、その状態で水分を吸湿することで膨潤差が偏って大きく現れ、それによってスケールの反り返りの大きい部分が発生し、繊維の絡み合いが強くなっていたものが、コルテックス内に微量の蛋白組織補修物質を浸透させることによって、コルテックス内で蛋白組織補修物質に含まれる酵素が作用してＡＴＰ（アデノシン三リン酸）が生成され、蛋白組織の欠陥が整備され、それによってスケールの大きな反り返りが防止され、繊維の絡み合いが弱くなって防縮性が向上するものと考えられる。
【００１０】
また、蛋白組織の再生、編成、保全作用を有する蛋白組織補修物質として、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマ、ミクロコッカス、バチルス、コリネバクテリウム、ロイコノストック、メゼンテロイデス、火落菌などが好適に用いられ、これらの群から選ばれた１又は複数の物質を用いることができる。また、ＥＭ菌やＩＭ菌を混合しても良い。
【００１１】
さらに、蛋白組織補修物質として、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマを第１群とし、ミクロコッカス、バチルス、コリネバクテリウム、ロイコノストック、メゼンテロイデス、火落菌を第２群とし、これら第１群と第２群からそれぞれ選択した１又は複数の物質を混合して用いるのが好適である。というのは、第１群の蛋白組織補修物質は大きな組織欠陥を補修でき、第２群の蛋白組織補修物質は小さな組織欠陥を補修できので、両者を併用することで、組織欠陥をより緻密に補修できて、より高い防縮性が得られるためである。
【００１２】
また、浸透性界面活性を有する浸透促進物質としては、ベンチノール、ジメチコポリオール、塩化アルキル、メチルアンモニウム、マントールなどが好適であり、これらの群から選ばれた１又は複数の物質を、助剤の全重量の０．１〜１０重量％混合するのが好適である。
【００１３】
また、助剤に、天然原料を基に作成され、毛繊維のスケールを柔らかくしたり、傷を補修したりする柔軟化物質を混合すると、上記蛋白組織補修物質がスケールの間を通って皮質細胞内に浸透するのを促進することができ、より高い防縮性が得られる。
【００１４】
その柔軟化物質としては、サリチル酸ナトリウム、シャクヤクエキス、アミノ酪酸、アルテアエキス、カロチン、ヨクイニンエキス、オタネニンジンエキス、酵母エキス、リボフラビン、葉酸、ナイアシンアミドなどが好適であり、これらの群から選ばれた１又は複数の物質を用いることができる。
【００１５】
また、助剤の蛋白組織補修物質や柔軟化物質は、天然原料を基に作成されたものであるので、安息香酸ソーダ、ベンタジオール、エタノール、ヒノキチオールなどの腐敗防止剤を混合して腐敗を防止するようにするのが好ましい。
【００１６】
また、助剤に抗ピリング剤を混合して、ピリング防止効果も同時に得られるようにするのが好ましい。その抗ピリング剤としては、カチオン系の第４級アンモニウム塩、キッチン、キトサン、シルクパウダーから選択された１又は複数の水溶性の物質と、グリセリン、コラーゲン、ヒアルロンサン、ビタミンＢ、ビタミンＥから選択された１又は複数の油成分の物質とを、エタノールでエマルジョン化した物質を用いるのが好適である。
【００１７】
また、具体的には、毛繊維又は毛繊維と他の繊維を混紡してなるワタ、糸、織物布、編み物布、またはそれらから成る二次製品を、任意の染料による染色工程前又は染色工程後に、ｐＨ８〜１０に調整し、毛繊維重量の３〜６重量％の助剤を投入し、７０〜９０℃に加温した浴中に３０〜６０分浸漬して処理することによって、上記のように毛繊維中のコルテックス内に蛋白組織補修物質を確実に浸透させることができて、コルテックス中の蛋白組織の欠陥を整備し、毛繊維のスケールの大きな反り返りを防止して防縮性を向上することができる。
【００１８】
また、本発明の毛繊維の防縮加工助剤は、天然原料を基に作成された、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマ、ミクロコッカス、バチルス、コリネバクテリウム、ロイコノストック、メゼンテロイデス、火落菌からなる群から選ばれた１又は複数からなる物質蛋白組織補修物質と、ベンチノール、ジメチコポリオール、塩化アルキル、メチルアンモニウム、マントールからなる群から選ばれた１又は複数の物質からなる浸透促進物質とを含むものであり、この防縮加工助剤を用いることで上記のように毛繊維の防縮性を向上することができる。
【００１９】
また、助剤には、天然原料を基に作成された、サリチル酸ナトリウム、シャクヤクエキス、アミノ酪酸、アルテアエキス、カロチン、ヨクイニンエキス、オタネニンジンエキス、酵母エキス、リボフラビン、葉酸、ナイアシンアミドからなる群から選ばれた１又は複数の物質からなる柔軟化物質を含むのが好適である。
【００２０】
また、助剤には、安息香酸ソーダ、ベンタジオール、エタノール、ヒノキチオールからなる群から選ばれた１又は複数の物質からなる腐敗防止剤を含むのが好適である。
【００２１】
また、助剤には、カチオン系の第４級アンモニウム塩、キッチン、キトサン、シルクパウダーから選択された１又は複数の水溶性の物質と、グリセリン、コラーゲン、ヒアルロンサン、ビタミンＢ、ビタミンＥから選択された１又は複数の油成分の物質とを、エタノールでエマルジョン化した物質からなる抗ピリング剤を含むのが好適である。
【発明の効果】
【００２２】
本発明の毛繊維の防縮加工方法によれば、蛋白組織補修物質をアルカリ又は酸と浸透促進物質にて毛繊維のスケールの内側のコルテックス内に浸透させることで、コルテックスにおける蛋白組織の欠陥を整備でき、それによって膨潤差によるスケールの大きな反り返りを防止でき、繊維の絡み合いを少なくして防縮性を向上できる。
【発明を実施するための最良の形態】
【００２３】
以下、本発明の毛繊維の防縮加工方法の一実施形態について説明する。
【００２４】
本発明の防縮加工は、天然原料を基に作成され、蛋白組織の再生、編成、保全作用を有する蛋白組織補修物質と、浸透性界面活性を有する浸透促進物質とを含有する助剤を溶解したアルカリ性又は酸性の浴中に毛繊維を浸漬して処理するものであり、蛋白組織補修物質がアルカリ又は酸と浸透促進物質にて毛繊維のスケールの内側のコルテックス（皮質細胞）内に浸透し、コルテックス中の蛋白組織の欠陥が整備され、それによってスケールの大きな反り返りが防止され、繊維の絡み合いが弱くなって防縮性が向上するものである。
【００２５】
この防縮加工を施す毛繊維は、従来のように染色前のわたや糸の状態での加工に限定されるものではなく、染色前でも各種染料による染色後でも可能であり、またわた、糸、織物の布、編み物の布、それらを用いた二次製品の状態でも加工することができる。その理由は、天然原料を基に作成された蛋白組織補修物質を用いて、毛繊維のコルテックスに浸透させるので、酸性でもアルカリでもその作用が変化しないことによる。
【００２６】
蛋白組織補修物質としては、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマ、ミクロコッカス、バチルス、コリネバクテリウム、ロイコノストック、メゼンテロイデス、火落菌などの群から選ばれた１又は複数の物質を用いるのが好適であり、ＥＭ菌やＩＭ菌を混合しても良い。さらに、上記蛋白組織補修物質における、トレハロース、ニコチン酸アミド、トコフェロール、パパイン、レシチン、アラントイン、パンテノール、米糠エキス、小麦胚芽エキス、コラーゲン、アルギニン、納豆エキス、クロエラエキス、サフランエキス、α−アミラーゼ、グルコアミラーゼ、セルラーゼ、プロテアーゼ、インペルターゼ、 疑乳酵素、ペクチナゼ、リパーゼ、ヘスペリジナーゼ、カタラーゼ、グルコースオキターゼ、ラクターゼ、ナリンジナーゼ、ペニシリナーゼ、シゾサッカロミセス、サッカロミセス、イゴサッカロミセス、クルイフェロミセス、ピヒア、ハンゼヌラ、デバリオミセス、サッカロミコプシス、Ａ．オリゼ、Ａ．ニガー、Ａ．ニベウス、Ｂ．アミロリクエファシエンス、Ｒ．ニベウス、Ｂ．ズブチリス、Ｒ．デレマを第１群とし、ミクロコッカス、バチルス、コリネバクテリウム、ロイコノストック、メゼンテロイデス、火落菌を第２群とし、これら第１群と第２群からそれぞれ選択した１又は複数の物質を混合して用いると、第１群の蛋白組織補修物質が大きな組織欠陥を補修し、第２群の蛋白組織補修物質が小さな組織欠陥を補修するので、組織欠陥をより緻密に補修できて、より高い防縮性が得られるので好適である。
【００２７】
浸透促進物質としては、ベンチノール、ジメチコポリオール、塩化アルキル、メチルアンモニウム、マントールなどの群から選ばれた１又は複数の物質を、助剤の全重量の０．１〜１０重量％混合するのが好適である。
【００２８】
また、助剤に、天然原料を基に作成され、毛繊維のスケールを柔らかくしたり、傷を補修したりする柔軟化物質、具体的にはサリチル酸ナトリウム、シャクヤクエキス、アミノ酪酸、アルテアエキス、カロチン、ヨクイニンエキス、オタネニンジンエキス、酵母エキス、リボフラビン、葉酸、ナイアシンアミドなどの群から選ばれた１又は複数の物質を混合するのが好ましい。このように柔軟化物質を混合することで、蛋白組織補修物質がスケールの間を通って皮質細胞内に浸透するのを促進することができ、より高い防縮性が得られる。
【００２９】
また、助剤の蛋白組織補修物質や柔軟化物質は、天然原料を基に作成されたものであるので、安息香酸ソーダ、ベンタジオール、エタノール、ヒノキチオールなどの腐敗防止剤を混合して腐敗を防止するようにするのが好ましい。
【００３０】
さらに、助剤に抗ピリング剤を混合して、ピリング防止効果も同時に得られるようにするのが好ましい。その抗ピリング剤としては、カチオン系の第４級アンモニウム塩、キッチン、キトサン、シルクパウダーから選択された１又は複数の水溶性の物質と、グリセリン、コラーゲン、ヒアルロンサン、ビタミンＢ、ビタミンＥから選択された１又は複数の油成分の物質とを、エタノールでエマルジョン化した物質を用いるのが好適である。
【００３１】
具体的な処理工程においては、酸性染料、反応染料等の任意の染料による染色工程前又は染色工程後に、毛繊維を含む繊維材料を、毛繊維重量の３〜６重量％の助剤を投入し、ｐＨを８〜１０、又はｐＨを４〜６に調整するとともに温度を７０〜９０℃に加温した処理浴中に３０〜６０分浸漬して処理するのが好適である。
【００３２】
以下、各実施例について説明する。
【００３３】
（実施例１）
染色前のウールの６０番手２本取り天竺を洗い機械に投入し、浴液を入れ、防縮助剤を繊維重量の５％入れ、ソーダ灰を入れてｐＨ９に設定し、温度を８０℃に設定して３０分ゆっくり回して防縮処理を施した。その後、酸性染料にて１００℃で、４５分染め、その後洗い、脱水、乾燥を行った。防縮助剤には、蛋白組織補修物質としてアルカリに強いシゾサッカロミセスとＡ−オリゼを主として含み、浸透促進物資としてベンチノールを含有するものを用いた。結果は、経２％、緯４．２％の縮率変化しかなく、防縮性機能が確認された。
【００３４】
（実施例２）
実施例１と同じ糸で横編みした製品について、同様の防縮処理を行った後染色を行った。結果は、経、緯とも、３％を越える縮率変化を示したものはなく、防縮性機能が確認された。
【００３５】
（実施例３）
カシミヤ１００％の製品セーターを、洗い機械にて同じ手法で防縮処理を行った後、染色を行った。また、比較のため、防縮処理を行わずに一般の染色を行った。結果は、一般の染色を行ったものは、７％近くの縮小が生じたが、防縮処理を行ったものは、３．５％の縮率変化があっただけである。
【００３６】
（実施例４）
実施例１と同じウールの糸を、酸性染料にて、９０〜１００℃で、４５分染め、その後６０℃にて５分、アンモニアを除去する処理を行った後、上記と同じように繊維重量の５％の防縮助剤を用い、ｐＨ９、９０℃、４５分で同様に防縮処理を行い、その後洗い、脱水、乾燥を行った。結果は、３％を越える縮率変化を示したものはなく、防縮性機能が確認された。
【００３７】
（実施例５）
２／４８糸の梳毛糸で編んだ１４Ｇのセーター（やや粗い）を２枚作製した。一方のセーターを、酸性染料にて通常の９０℃×４５分で染色し、柔軟剤をつけて脱水し、自然乾燥した。他方のセーターは、酸性染料にて通常の９０℃×４５分で染色し、クエン酸を溶解したｐＨ４の酸性浴中に酸に強い防縮助剤を繊維重量の５％入れ、６０℃に昇温して４５分機械で回し、柔軟剤をつけて脱水し、自然乾燥した。防縮助剤としては、蛋白組織補修物質として酸に強いイゴサッカロミセス、クルイフェロミセス、Ａ−ニベウスを主として含み、浸透促進物資としてベンチノールを含有するものを用いた。結果は、一方のセーターは、身丈で１５％、身幅で５％、袖丈で１０％、袖幅で５％縮んだ。これに対して他方のセーターは、身丈で６％、身幅で５％、袖丈で４％、袖幅で３％縮んだだけであり、作製時よりは縮んだが一方のセーターに比べて防縮性が認められた。
【００３８】
上記列挙した蛋白組織補修物質と浸透促進物質を組み合わせた防縮助剤についても、同様の試験を行ったところ、同様の防縮効果が得られた。
【産業上の利用可能性】
【００３９】
本発明の毛繊維の防縮加工方法は、蛋白組織補修物質を毛繊維のスケールの内側のコルテックス内に浸透させてコルテックスにおける蛋白組織の欠陥を整備し、それによってスケールの大きな反り返りを防止して防縮性を向上できるため、毛繊維を含む各種繊維製品の防縮加工に好適に適用することができる。